(57)【要約】【課題】本発明は、配電網に接続されている複合サイクル発電所に周波数応答を提供する方法に関するものである。【解決手段】発電所はガスタービンエンジンと蒸気タービンエンジンを含む。蒸気タービンエンジンは、ボイラー、蒸気タービン、ポンプ、凝縮器、蒸気タービンのためのバイパス、蒸気流入制御弁を含む。蒸気タービンエンジンは、バイパスが閉鎖した状態、または、少なくとも部分的に開放し蒸気タービンをバイパスしてボイラーから凝縮器に蒸気を供給する状態で、および／または、蒸気流入制御弁が少なくとも部分的に開放した状態で動作する。蒸気流入制御弁を調整することによって、および／または、バイパスを通る蒸気流を調整することによって、配電網の周波数変更に応答して発電所の出力負荷を調整する。ボイラーによる蒸気が蒸気タービン用の目標負荷を達成するのに十分なように、ガスタービンの出力も調整可能である。【選択図】図１
2014163378.tif 000002
【特許請求の範囲】
【請求項１】
配電網（２１）に接続された複合サイクル発電所（１）に周波数応答を提供する方法であって、
前記複合サイクル発電所（１）は、ガスタービンエンジン（２）および蒸気タービンエンジン（３）を具え、
前記蒸気タービンエンジン（３）は、ボイラー（１１）と、蒸気タービン（１２）と、ポンプ（１４）と、凝縮器（１３）と、前記蒸気タービン（１２）のためのバイパス（１５）と、蒸気流入制御弁（１２ａ）と、を具え、
前記蒸気タービンエンジン（３）は、前記バイパス（１５）が閉鎖した状態、または、少なくとも部分的に開放し、前記蒸気タービン（１２）をバイパスして、前記ボイラー（１１）から前記凝縮器（１３）に蒸気を供給する状態で、および／または、前記蒸気流入制御弁（１２ａ）が少なくとも部分的に開放した状態で動作し、
前記方法は、前記蒸気流入制御弁（１２ａ）を調整することによって、および／または、前記バイパス（１５）を通る蒸気流を調整することによって、前記配電網（２１）の周波数変更に応答して前記蒸気タービンエンジン（３）の出力負荷を調整するステップを含む、
ことを特徴とする方法。
【請求項２】
前記ガスタービンエンジン（２）の出力負荷もまた調整される、
請求項１記載の方法。
【請求項３】
前記ボイラー（１１）は、前記ガスタービンエンジン（２）から排出される排気ガスが供給され、前記ガスタービンエンジン（２）の前記出力負荷は、前記ボイラー（１１）によって発生する蒸気の量が前記蒸気タービン（１２）の目標負荷に達するのに十分であるように調整される、
請求項２記載の方法。
【請求項４】
前記蒸気タービンエンジン（３）の前記出力負荷の前記調整は、少なくとも、一時的な負荷変化フェーズ（Ａ）と、安定化フェーズ（Ｂ）と、正常化フェーズ（Ｃ）と、を含む、
請求項１記載の方法。
【請求項５】
前記一時的な負荷変化フェーズ（Ａ）の間、前記蒸気タービンエンジン（３）の前記出力負荷の前記調整は、前記ガスタービンエンジン（２）の前記出力負荷の前記調整より高速である、
請求項２および４記載の方法。
【請求項６】
前記正常化フェーズ（Ｃ）の終了時の前記ガスタービンエンジン（２）の前記出力負荷および前記蒸気タービンエンジン（３）の前記出力負荷は、調整前の前記ガスタービンエンジン（２）の前記出力負荷および前記蒸気タービンエンジン（３）の前記出力負荷と同一である、
請求項２および４記載の方法。
【請求項７】
前記ガスタービンエンジン（２）の前記出力負荷の前記調整は、少なくとも、一時的な負荷変化フェーズ（Ｄ）と、安定化フェーズ（Ｅ）と、正常化フェーズ（Ｆ）と、を含む、
請求項２記載の方法。
【請求項８】
前記蒸気タービンエンジン（３）の前記出力負荷の前記調整のための前記一時的な負荷変化フェーズ（Ａ）は、前記ガスタービンエンジン（２）の前記出力負荷の前記調整のための前記一時的な負荷変化フェーズ（Ｄ）より短い、
請求項４および７記載の方法。
【請求項９】
前記蒸気タービンエンジン（３）の前記出力負荷の前記調整のための前記正常化フェーズ（Ｃ）は、前記ガスタービンエンジン（２）の前記出力負荷の前記調整のための前記正常化フェーズ（Ｆ）より短い、
請求項４および７記載の方法。
【請求項１０】
前記ガスタービンエンジン（２）の前記出力負荷は、前記蒸気タービンエンジン（３）の前記出力負荷の調整と同時または時間のずれをもって調整される、
請求項２記載の方法。
【請求項１１】
周波数変動前の前記複合サイクル発電所（１）の出力はゼロであり、公称値を上回る周波数増加によって、前記蒸気タービンおよび／または前記ガスタービンは、負荷を減少させ、前記複合サイクル発電所（１）による有効電力のインポートに従う、
請求項１記載の方法。
【発明の詳細な説明】
【技術分野】
【０００１】
本発明は、周波数応答を複合サイクル発電所に提供する方法に関するものである。
【背景技術】
【０００２】
複合サイクル発電所は、ガスタービンエンジンおよび蒸気タービンエンジンを含むことが知られている。蒸気タービンエンジンは、ボイラーを有し、このボイラーにはガスタービンエンジンから排気ガスが供給され、蒸気タービン内で膨張する蒸気を生成する。蒸気タービンエンジンおよびガスタービンエンジンは、一つ以上の発電機を駆動し、この発電機は、配電網に接続され、配電網に電力を供給する。
【０００３】
公知であるように、配電網の電力の周波数は固定された公称値（５０Ｈｚまたは６０Ｈｚ）を有し、この公称値からの偏差は最小限に保たれる。
【０００４】
それにもかかわらず、配電網に接続された発電所によって配電網に供給される電力と、配電網に接続されたコンシューマによって配電網から供給される電力と、の間のミスマッチのため、配電網の周波数は、公称値から逸脱しうる。
【０００５】
逸脱が生ずると、配電網に接続されている発電所は調整され、配電網の周波数を公称値に戻さなければならない。
【０００６】
典型的には、配電網の周波数は、公称値より上に増加する、または、公称値より下に減少しうる。
【０００７】
周波数が公称値より低い値に低下した場合、配電網に接続されている発電所は、付加的な電力を配電網に非常に短い時間で供給し、配電網周波数を戻さなければならない。
【０００８】
周波数が公称値より高い値に増加した場合、配電網に接続されている発電所は、配電網へ供給される電力を非常に短い時間で減少し、配電網周波数を戻さなければならない。
【０００９】
伝統的に、配電網に供給される出力のこの変化は、ガスタービンエンジンの燃焼室に供給される燃料を増加または減少することによって、ガスタービンエンジンで発生する出力を増加または減少することによって達成される（この出力は、次に、発電機を介して電力に変換され、配電網に供給される）。
【００１０】
それにもかかわらず、複合サイクル発電所が低い動作点（すなわち、ガスタービンの公称出力または最大出力の何分の１、例えば４０％）で動作するとき、ガスタービンの高速な調整は可能でない。
【００１１】
事実、低負荷のガスタービンの調整は、容認できない未燃焼のハイドロカーボンおよび／またはＮＯｘの排出、振動、火炎消火を引き起こしうる。
【発明の概要】
【課題を解決するための手段】
【００１２】
本発明の一態様は、低い動作点で動作している複合サイクル発電所に周波数応答を提供する方法を含む。
【００１３】
これらおよびさらなる態様は、添付の特許請求の範囲に従う方法を提供することによって達成される。
【００１４】
さらなる特性および利点は、添付図面を非限定的な例として参照して、本発明の方法の非限定的な好適実施形態の説明からより明らかになる。
【図面の簡単な説明】
【００１５】
【図１】本発明の方法の可能な実施形態を示す。
【図２】本発明の方法の可能な実施形態を示す。
【図３】本発明の方法の可能な実施形態を示す。
【図４】本発明の方法の可能な実施形態を示す。
【図５】本発明の方法の可能な実施形態を示す。
【図６】複合サイクル発電所の一例を示す。
【図７】複合サイクル発電所の一例を示す。
【発明を実施するための形態】
【００１６】
添付図面を参照して、周波数応答を複合サイクル発電所に提供する方法を説明する。複合サイクル発電所を、最初に説明する。
【００１７】
図６は、ガスタービンエンジン２および蒸気タービンエンジン３を含む複合サイクル発電所１の第１の実施例を示す。
【００１８】
ガスタービンエンジン２は、圧縮機４、燃焼室５およびタービン６を有する。
【００１９】
タービン６から、排気ガスが排出され、この排気ガスは、圧縮機４からの圧縮空気および燃料の燃焼によって燃焼室５内で発生する高温ガスが、タービン６内で膨張することから生ずる。
【００２０】
蒸気タービンエンジン３は、ボイラー１１、蒸気タービン１２、凝縮器１３、ポンプ１４およびボイラー１１と凝縮器１３との間のバイパス１５を有する。さらに、参照符号１２ａは、ボイラー１１と蒸気タービン１２との間に設けられ、蒸気タービン１２に供給される蒸気質量流量を調整するための蒸気流入制御弁を示す。
【００２１】
線１６は、タービン６とボイラー１１との間に設けられ、タービン６からボイラー１１に排気ガスを供給し、蒸気を生成する。
【００２２】
タービン６および蒸気タービン１２は、１つのシャフト１７に接続され、このシャフト１７は、圧縮機４および発電機２０をも担持している。発電機２０は、電線路２２を介して配電網２１に接続されている。
【００２３】
配電網２１は、（複合サイクル発電所１のような）発電所およびそれに接続されたコンシューマ（機械、ネットワーク等）を有する典型的な配電網である。典型的には、配電網は、５０Ｈｚまたは６０Ｈｚ（公称配電網周波数）で動作する。
【００２４】
図７は類似の複合サイクル発電所を示し、図７において、図６と同一の参照符号は同一類似の構成要素を表す。
【００２５】
図６および図７の発電所の相違は、図７の発電所が２つのシャフト１７ａ、１７ｂと、配電網２１に接続された２つの発電機２０ａ、２０ｂと、を有するという点である。
【００２６】
ガスタービンエンジン２および蒸気タービンエンジン３は、動作中に機械力を発生し、発電機２０、２０ａ、２０ｂを起動し、配電網２１に供給される電力を発生させる。
【００２７】
特に、複合サイクル発電所１の動作点が非常に低い（すなわち、複合サイクル発電所によって発生する出力が、完全な負荷で、発電所によって発生する出力の０〜４５％、好ましくは０〜２０％にある）場合、バイパス１５は閉鎖可能または開放可能または部分的に開放可能であり、その結果、ボイラー１１で発生する蒸気の一部は蒸気タービン１２に供給され、蒸気の他の一部は蒸気タービン１２を通過せず凝縮器１３に直接供給される。さらに、蒸気流入制御弁１２ａは、通常開放しているか、または、部分的に開放している。
【００２８】
言い換えると、低負荷時の動作は、バイパス１５が開放または部分的に開放し、および／または、蒸気流入制御弁１２ａが開放または部分的に開放した状態で発生可能である。バイパス１５を閉鎖できることは明らかである。
【００２９】
配管網２１に接続された発電所１によって、配管網２１に供給される電力と、配管網２１に接続された機械またはネットワークのようなコンシューマによって、配管網２１から吸収される電力と、の間のミスマッチが生ずると、配管網２１の周波数は変化する。
【００３０】
配電網の周波数が低下すると、配電網周波数を戻すために、配電網へ供給される電力を増加しなければならない。同様に、配電網の周波数が増加すると、配電網周波数を戻すために、配電網へ供給される電力を減少しなければならない。これらの調整は、配電網に接続されている機械が同期を失うことを回避するために、好ましくは短期間で行わなければならない。
【００３１】
本発明の方法は、配電網２１の周波数変化に応答して、蒸気タービン１２の蒸気流入制御弁１２ａを調整することによって、および／または、バイパス１５を通る蒸気流を調整することによって、蒸気タービンエンジン３の出力負荷を調整するステップを含む。
【００３２】
特に、周波数変化が周波数低下である場合、蒸気タービンエンジン３の出力負荷の調整は出力の増加であり、周波数変化が周波数上昇である場合、蒸気タービンエンジン３の出力負荷の調整は出力の減少である。
【００３３】
さらに、ガスタービンエンジン出力負荷もまた調整可能である。ただし、これは必須ではない（すなわち、ガスタービンエンジン２は調整しなくてもよい）。
【００３４】
例えば、この場合、ガスタービンエンジン出力負荷が調整され、ボイラー１１で発生する蒸気の量が調整される。
【００３５】
配電網周波数の低下が生じた場合、ガスタービンエンジン２の出力負荷の調整は、出力の増加であり、配電網周波数の増加が生じた場合、ガスタービンエンジン２の出力負荷の調整は、出力の減少である。
【００３６】
典型的には、蒸気タービンエンジン３の出力負荷の調整は、一時的な負荷変動フェーズＡ（増減）と、安定化フェーズＢと、正常化フェーズＣと、を含む。
【００３７】
フェーズＡの間、蒸気タービンエンジン３の出力負荷の調整は、典型的には、ガスタービンエンジン２の出力負荷の調整より高速である。この特徴は、添付図面に示され、図面において、フェーズＡの間、蒸気タービンエンジン３の出力増加を示している曲線２５は、ガスタービンエンジン２の出力勾配を示している曲線２６より大きな勾配を有する。
【００３８】
さらに、終了フェーズＣの終了時、ガスタービンエンジン２の出力負荷および蒸気タービンエンジン３の出力負荷は、調整前のガスタービンエンジン２の出力負荷および蒸気タービンエンジン３の出力負荷と同一である。
【００３９】
また、ガスタービンエンジン２の出力負荷の調整は、一時的な負荷変動フェーズＤと、安定化フェーズＥと、正常化フェーズＦと、を含む。
【００４０】
好ましくは、蒸気タービンエンジン３の出力負荷の調整のための一時的な負荷変動フェーズＡは、ガスタービンエンジン２の出力負荷の調整のための一時的な負荷変動フェーズＤより短い。
【００４１】
さらに、蒸気タービンエンジン３の出力負荷の調整のための正常化フェーズＣは、ガスタービンエンジン２の出力負荷の調整のための正常化フェーズＦより短い。
【００４２】
さらに、周波数変動前の発電所の出力はゼロとすることができ、公称値を上回る周波数増加によって、蒸気タービンおよび／またはガスタービンは、負荷を減少させ、発電所による有効電力のインポートに従うことができる。
【００４３】
添付図面は、詳述する方法の種々の実施例を示す。
【実施例】
【００４４】
実施例１（図１）
第１の実施例では、配電網の周波数は、５０Ｈｚから４９．５Ｈｚに低下する。
【００４５】
周波数低下によって、フェーズＡの間の蒸気タービンエンジン３からの出力は増加し、フェーズＡより長いフェーズＤの間のガスタービンエンジン２からの出力は、対応して増加する。さらに、蒸気タービンエンジン３からの出力増加の勾配は、ガスタービンエンジン２の出力増加の勾配より大きい。
【００４６】
フェーズＢ、Ｅの後、フェーズＣ、Ｆは、フェーズＣの間の蒸気タービンエンジン３からの出力の減少が、フェーズＦの間のガスタービンエンジン２からの出力の減少より短く、かつ大きい勾配であることを示す。
【００４７】
実施例２（図２）
第２の実施例では、配電網周波数が５０Ｈｚから４９．９Ｈｚに低下するので、配電網の周波数低下は小さい。
【００４８】
この場合、図２に示すように、蒸気タービンエンジン３からの出力は、すでに実施例１に記載されているものと類似の挙動を有する。
【００４９】
特に、ガスタービンエンジン２からの出力は、調整されない、すなわち、変化しない。
これは、配電網の周波数低下が制限されるので、蒸気流入制御弁１２ａおよび／またはバイパス１５を調整することによって達成可能な出力の調整が配電網２１を戻すのに十分であるという事実によって生じる。言い換えると、配管網２１に供給する付加的な電力を発生するために、発電機２０、２０ａ、２０ｂを起動するのに必要な出力を発生するための付加的なエネルギーを、蒸気タービンエンジン３のボイラー１１へ供給する必要がない。
必要な場合、タービン６からの排気ガスの熱力学的特徴を増加することによって、すなわち燃焼室５に供給される燃料を増加することによって、付加的なエネルギーはボイラー１１に供給される。
【００５０】
実施例３（図３）
実施例３は、周波数減少に対する応答の他の実施例を示す。
【００５１】
ガスタービンエンジン２および蒸気タービンエンジン３は、同時に応答し、蒸気タービン負荷は、蒸気タービンエンジン３の絞られていた蒸気流入制御弁１２ａを開放することによって、速い勾配で増加する。
【００５２】
バイパス１５は、蒸気タービンエンジン３に負荷を与える間、閉鎖されたままであり、バイパス１５は、一時的に開放され、余剰蒸気生産を凝縮器１３に導くことによって、蒸気タービンエンジン３の負荷を低下させることをサポートする。
【００５３】
安定化フェーズＢの間、蒸気生産が必要な負荷を生成するのに十分なように、ガスタービンエンジン２はその負荷を増加させる。
【００５４】
実施例４（図４）
実施例４は、周波数増加に対する応答の実施例を示す。
【００５５】
この場合、ガスタービン２および蒸気タービンエンジン３は、同時に応答する。蒸気タービン負荷は、蒸気タービンエンジン３の蒸気流入制御弁１２ａを動作することによって、速い勾配で低減し、バイパス１５は一時的に開放され、余剰蒸気生産を凝縮器１３に導くことによって、蒸気タービンエンジン３の負荷を低下させるのをサポートする。
【００５６】
蒸気生産が必要な負荷を生成するのに十分なように、ガスタービンエンジン２はその負荷を減少させる。
【００５７】
この場合、ガスタービン負荷は、マイナスになることもできる。
【００５８】
さらに、バイパス１５は、安定化フェーズＢの間、ゼロまで徐々に閉鎖する。
【００５９】
実施例５（図５）
この例では、配電網の周波数は、５０Ｈｚから５０．２Ｈｚまで増加する。
【００６０】
この場合、発電所の出力を減少しなければならない。周波数変動前の発電所の出力がゼロであるので、蒸気タービンおよび／またはガスタービンの負荷をさらに減少させると、発電所の有効電力のが生ずる。
【００６１】
提案された方法は、以下の特性を有する。
・蒸気タービンは、複合サイクル発電所の総負荷を制御する。
・蒸気タービンは、負荷増加および負荷減少の能力を有する。
・負荷変化の要求に応じて（例えば周波数偏差に応じて）、ガスタービン負荷は調整され、ユニットの必要な全出力が持続可能に満たされることが好ましい。
ａ）ガスタービン負荷の調整は、必要とされてもされなくてもよい。
ｂ）ガスタービン負荷の調整が必要とされる場合、蒸気生産における変化がユニットに対する全負荷要求を満足するのに十分であるように調整される。
ｃ）一時的または継続的なバイパス動作は、蒸気タービンおよびこのことによりユニット負荷コントロールをサポートする。
ｄ）蒸気タービンエンジンは、発電所のための全負荷要求における変更に即座に応答する。必要であれば、ガスタービン負荷は、蒸気タービンエンジン出力負荷の調整と同時または時間のずれをもって調整される。
【００６２】
一般に、複合サイクル発電所のための全負荷要求における変更に対する蒸気タービンエンジン応答は、ガスタービンエンジンの応答より高速である（蒸気タービンエンジンの負荷勾配はガスタービンエンジンの負荷勾配より大きい）。
【００６３】
実際には、使用する材料および寸法は、要求および従来技術に従って自由に選択可能である。
【符号の説明】
【００６４】
１      複合サイクル発電所
２      ガスタービンエンジン
３      蒸気タービンエンジン
４      圧縮機
５      燃焼室
６      タービン
１１    ボイラー
１２    蒸気タービン
１２ａ  蒸気流入制御弁
１３    凝縮器
１４    ポンプ
１５    バイパス
１６    線
１７、１７ａ、１７ｂ  シャフト
２０、２０ａ、２０ｂ  発電機
２１    配電網
２２    電線路
２５    蒸気タービンエンジン３の出力増加
２６    ガスタービンエンジン２の出力勾配
Ａ      蒸気タービンエンジン３の出力負荷の調整の一時的な負荷変化フェーズ
Ｂ      蒸気タービンエンジン３の出力負荷の調整の安定化フェーズ
Ｃ      蒸気タービンエンジン３の出力負荷の調整の正常化フェーズ
Ｄ      ガスタービンエンジン２の出力負荷の調整の一時的な負荷変化フェーズ
Ｅ      ガスタービンエンジン２の出力負荷の調整の安定化フェーズ
Ｆ      ガスタービンエンジン２の出力負荷の調整の正常化フェーズ
【図６】
2014163378.tif 000003
【図７】
2014163378.tif 000004
【図１】
2014163378.tif 000005
【図２】
2014163378.tif 000006
【図３】
2014163378.tif 000007
【図４】
2014163378.tif 000008
【図５】
2014163378.tif 000009
【手続補正書】
【提出日】平成26年5月9日(2014.5.9)
【手続補正１】
【補正対象書類名】特許請求の範囲
【補正対象項目名】全文
【補正方法】変更
【補正の内容】
【特許請求の範囲】
【請求項１】
配電網（２１）に接続された複合サイクル発電所（１）に周波数応答を提供する方法であって、
前記複合サイクル発電所（１）は、ガスタービンエンジン（２）および蒸気タービンエンジン（３）を具え、
前記蒸気タービンエンジン（３）は、ボイラー（１１）と、蒸気タービン（１２）と、ポンプ（１４）と、凝縮器（１３）と、前記蒸気タービン（１２）のためのバイパス（１５）と、蒸気流入制御弁（１２ａ）と、を具え、
前記蒸気タービンエンジン（３）は、前記バイパス（１５）が閉鎖した状態、または、少なくとも部分的に開放し、前記蒸気タービン（１２）をバイパスして、前記ボイラー（１１）から前記凝縮器（１３）に蒸気を供給する状態で、および／または、前記蒸気流入制御弁（１２ａ）が少なくとも部分的に開放した状態で動作し、
前記方法は、前記蒸気流入制御弁（１２ａ）を調整することによって、および／または、前記バイパス（１５）を通る蒸気流を調整することによって、前記配電網（２１）の周波数変更に応答して前記蒸気タービンエンジン（３）の出力負荷を調整するステップを含む、
ことを特徴とする方法。
【請求項２】
前記ガスタービンエンジン（２）の出力負荷もまた調整される、
請求項１記載の方法。
【請求項３】
前記ボイラー（１１）は、前記ガスタービンエンジン（２）から排出される排気ガスが供給され、前記ガスタービンエンジン（２）の前記出力負荷は、前記ボイラー（１１）によって発生する蒸気の量が前記蒸気タービン（１２）の目標負荷に達するのに十分であるように調整される、
請求項２記載の方法。
【請求項４】
前記蒸気タービンエンジン（３）の前記出力負荷の前記調整は、少なくとも、一時的な負荷変化フェーズ（Ａ）と、安定化フェーズ（Ｂ）と、正常化フェーズ（Ｃ）と、を含む、
請求項１から３のいずれかに記載の方法。
【請求項５】
前記一時的な負荷変化フェーズ（Ａ）の間、前記蒸気タービンエンジン（３）の前記出力負荷の前記調整は、前記ガスタービンエンジン（２）の前記出力負荷の前記調整より高速である、
請求項２を引用する請求項４記載の方法。
【請求項６】
前記ガスタービンエンジン（２）の前記出力負荷の前記調整は、少なくとも、一時的な負荷変化フェーズ（Ｄ）と、安定化フェーズ（Ｅ）と、正常化フェーズ（Ｆ）と、を含み、
前記蒸気タービンエンジン（３）の前記出力負荷の前記調整のための前記正常化フェーズ（Ｃ）の終了時の前記蒸気タービンエンジン（３）の前記出力負荷は、調整前の前記蒸気タービンエンジン（３）の前記出力負荷と同一であり、
前記ガスタービンエンジン（２）の前記出力負荷の前記調整のための前記正常化フェーズ（Ｆ）の終了時の前記ガスタービンエンジン（２）の前記出力負荷は、調整前の前記ガスタービンエンジン（２）の前記出力負荷と同一である、
請求項２を引用する請求項４記載の方法。
【請求項７】
前記ガスタービンエンジン（２）の前記出力負荷の前記調整は、少なくとも、一時的な負荷変化フェーズ（Ｄ）と、安定化フェーズ（Ｅ）と、正常化フェーズ（Ｆ）と、を含み、
前記蒸気タービンエンジン（３）の前記出力負荷の前記調整のための前記一時的な負荷変化フェーズ（Ａ）は、前記ガスタービンエンジン（２）の前記出力負荷の前記調整のための前記一時的な負荷変化フェーズ（Ｄ）より短い、
請求項２を引用する請求項４記載の方法。
【請求項８】
前記ガスタービンエンジン（２）の前記出力負荷の前記調整は、少なくとも、一時的な負荷変化フェーズ（Ｄ）と、安定化フェーズ（Ｅ）と、正常化フェーズ（Ｆ）と、を含み、
前記蒸気タービンエンジン（３）の前記出力負荷の前記調整のための前記正常化フェーズ（Ｃ）は、前記ガスタービンエンジン（２）の前記出力負荷の前記調整のための前記正常化フェーズ（Ｆ）より短い、
請求項２を引用する請求項４記載の方法。
【請求項９】
前記ガスタービンエンジン（２）の前記出力負荷は、前記蒸気タービンエンジン（３）の前記出力負荷の調整と同時または時間のずれをもって調整される、
請求項２記載の方法。
【請求項１０】
周波数変動前の前記複合サイクル発電所（１）の出力はゼロであり、公称値を上回る周波数増加によって、前記蒸気タービンエンジン（３）および／または前記ガスタービンエンジン（２）は、負荷を減少させ、前記複合サイクル発電所（１）による有効電力のインポートに従う、
請求項１記載の方法。
【外国語明細書】
2014163378.tif 000010
2014163378.tif 000011
2014163378.tif 000012
2014163378.tif 000013
2014163378.tif 000014
2014163378.tif 000015
2014163378.tif 000016
2014163378.tif 000017
2014163378.tif 000018
2014163378.tif 000019
2014163378.tif 000020
2014163378.tif 000021
2014163378.tif 000022
2014163378.tif 000023
2014163378.tif 000024
2014163378.tif 000025
2014163378.tif 000026
2014163378.tif 000027
2014163378.tif 000028
2014163378.tif 000029
2014163378.tif 000030
2014163378.tif 000031
2014163378.tif 000032
2014163378.tif 000033
2014163378.tif 000034